(57)【要約】  【課題】  口腔内を的確に照明して口腔ケアを十分に行って口腔内を清潔に保てる口腔内保清用具を提供する。  【解決手段】  中空路１０Ａが軸線方向に延びて両端にて開放される棒体１０と、該棒体の中央部分にて手を把持し得る大きさのグリップ部１１と、上記棒体の先端に連結され、上記棒体の中空路に連結される吸引孔を有する清掃部材１７、１８と、上記棒体の後端にて負圧源から伸びるチューブが連結可能な連結部と、上記グリップ内に前方を指向して内蔵され、上記清掃部材の先端及び前方を照明する照明灯具１５と、該照明灯具に通電する電源１６と、を備えたことを特徴とする。【選択図】  図１
2018079051.tif 000002
【特許請求の範囲】
【請求項１】
中空路（１０Ａ）が軸線方向に延びて両端にて開放される棒体（１０）と、
該棒体（１０）の中央部分にて手を把持し得る大きさのグリップ部（１１）と、
上記棒体（１０）の先端に設けられており、上記棒体（１０）の中空路（１０Ａ）に連通される中空路（１７Ｂ、１８Ｂ）を有する清掃部材（１７、１８）と、
上記棒体（１０）の後端に設けられており、負圧源から伸びるチューブが連結可能な連結部（１４）と、
上記グリップ部（１１）内に前方を指向して内蔵されており、上記清掃部材（１７、１８）の先端及び前方を照明する照明灯具（１５）と、
該照明灯具（１５）に通電する電源（１６）と、
を備えたことを特徴とする口腔内保清用具。
【請求項２】
上記棒体（１０）とグリップ部（１１）が使用後に全体が廃棄される一体構造をなしている請求項１記載の口腔内保清用具。
【請求項３】
上記グリップ部（１１）内には水電池（１６）か内蔵されており、該水電池（１６）への注水量によって上記照明灯具（１５）の点灯時間が調整されるようになっている請求項２記載の口腔内保清用具。
【請求項４】
上記グリップ部（１１）が中空の分割構造をなし、該グリップ部（１１）に上記棒体（１０）が着脱可能に内蔵されている請求項１記載の口腔内保清用具。
【請求項５】
上記連結部（１４）がスイベルジョイント構造を有している請求項１記載の口腔内保清用具。
【発明の詳細な説明】
【技術分野】
【０００１】
本発明は口腔内保清用具に関し、特に寝たきり老人などの要介護者や要介助者の口腔内に残った食物残渣、増粘した唾液、咽頭にからんだ痰、あるいは硬口蓋や下顎齦頬移行部の粘膜に粘着残存した義歯安定剤などを効果的に口腔外に取り出し口腔内を清潔に保つことができるようにした用具に関する。
【背景技術】
【０００２】
最近の高齢化社会の急激な進行により、要介護者が増加する傾向にある。かかる状況では老化、鼻孔にチューブを挿通して栄養補給を行うことによる口呼吸、その他の疾病を原因として咀嚼機能が低下し、唾液の分泌量が低下し、又それに伴う口腔内の粘膜が乾燥するなどの現象が招来される結果、口腔内の自浄作用が極度に低下し、唾液や痰が粘液性を増して口腔粘膜に付着してこびりつき、排出でき難くなる。
【０００３】
また、舌苔もたまりやすく、硬口蓋や齦頬移行部には食物残渣が残りやすくなる。
さらには、脳血管障害などによって麻痺が残る患者も多く、手足が不自由になるとともに、摂食嚥下障害もみられ、麻痺による歯面の清掃不足や口腔諸機能の低下に伴い、舌や頬など咀嚼筋群活動も低下して食物が口腔前庭に残りやすく、口腔衛生状態も非常に悪くなる。
【０００４】
従来、多くの病院や介護施設では歯科衛生士（ＤＨ）などが歯ブラシとスポンジブラシ（スワブ）、唾液などの吸引チューブを使分け、要介護者や要介助者に対して口腔ケアを行なっていたが、用具を使い分けて口腔ケアを行うのは作業の効率が悪く、しかも歯科衛生士などの身体的な負担が大きかった。
【０００５】
これに対し、中空状の棒体の先端にスポンジブラシ又は歯ブラシを設けるとともに、ブラシの先端部に吸引口を形成し、棒体の後部にグリップを形成するとともに、グリップの後端にチューブの接続パイプを設けて真空ポンプ（負圧源）から伸びるチューブを接続し、１つの用具でブラシと吸引による口腔ケアを行って口腔内に清潔に保つようにした口腔内保清用具が提案されている（特許文献１）。
【先行技術文献】
【特許文献】
【０００６】
【特許文献１】特開２０１１−１６０８３９号公報
【発明の開示】
【発明が解決しようとする課題】
【０００７】
しかし、上記特許文献１記載の口腔内保清用具では口腔ケアを行う際に口腔内が暗く、口腔内の照明を必要とし、たとえ照明設備があっても保清用具によって照明の光が当たらずに陰ができてしまい、口腔ケアが不十分になるおそれがあった。
特に、要介護者や要介助者は身体の状況によっては大きく口を開けることが難しいことがあり、かかる場合には口腔ケアが不十分になることがあった。
【０００８】
本発明はかかる問題点に鑑み、口腔内を的確に照明して口腔ケアを十分に行い、口腔内を清潔に保てるようにした口腔内保清用具を提供することを課題とする。
【課題を解決するための手段】
【０００９】
そこで、本発明に係る口腔内保清用具は、中空路が軸線方向に延びて両端にて開放される棒体と、該棒体の中央部分にて手を把持し得る大きさのグリップ部と、上記棒体の先端に設けられており、上記棒体の中空路に連通される中空路を有する清掃部材と、上記棒体の後端に設けられおり、負圧源から伸びるチューブが連結可能な連結部と、上記グリップ内に前方を指向して内蔵され、上記清掃部材の先端及び前方を照明する照明灯具と、該照明灯具に通電する電源と、を備えたことを特徴とする。
【００１０】
本発明の特徴の１つは清掃部材に吸引孔を設けて口腔内に残った食物残渣、増粘した唾液、咽頭にからんだ痰、あるいは硬口蓋や下顎齦頬移行部の粘膜に粘着残存した義歯安定剤などを口腔外に取り出せるようになす一方、グリップ部内にＬＥＤ灯などの照明灯具を内蔵して清掃部材の先端及び前方を照明するようにした点にある。
【００１１】
これにより、口腔内ケアの機能を集約一体化して効率的な保清の作業ができ、しかも口腔内を明るく照明できるので、歯科衛生士などにとっても、又口腔ケアを受ける要介護者などにとっても安全で、安心な口腔ケアを行うことができる。その結果、高齢者の死亡原因のトップを占める誤嚥性肺炎や不顕性肺炎を予防し、加療及び入院時間を短くすることが期待できる。
【００１２】
グリップ部は棒体とは別体に構成し、棒体と清掃部材を交換可能としてもよいが、標準予防策に基づいた感染対策の重要性を考慮すると、グリップ部は棒体と一体に形成し、全体を破棄するディスポーザブルな構造とし、口腔ケアを受ける者に対して感染予防を確保するのが好ましい。
【００１３】
ディスポーザブルな構造を採用する場合、電池は注水によって起電時間をコントロールできる水電池、あるいはバイオ電池を採用するのが好ましい。他方、グリップ部を棒体と別体に構成する場合、電池には繰り返し使用可能な充電方式を採用するのが好ましい。
【図面の簡単な説明】
【００１４】
【図１】本発明の口腔内保清用具の好ましい実施形態を示す断面図である。
【図２】上記実施形態を示す図である。
【図３】第２の実施形態を示す図である。
【発明を実施するための形態】
【００１５】
以下、本発明を図面に示す具体例に基づいて詳細に説明する。図１及び図２は本発明に係る口腔内保清用具の好ましい実施形態を示し、これはディスポーザブルな構造を有する口腔内保清用具の例を示す。図において、１０は用具の基本骨格をなす棒体で、棒体１０内は中空路１０Ａとなっており、中空路１０Ａの両端は開放されている。
【００１６】
棒体１０の外側にはグリップ部１１が棒体１０と一体的にかつ手で把持し得る大きさに形成され、グリップ部１１の中央頂面には凹部１１Ｂが形成され、凹部１１Ｂの中央には吸引量調整孔１１Ａが中空路１０Ａに連通して形成され、手指が吸引量調整孔１１Ａの開口の大きさを変えることによって吸引圧力を調整できるようになっている。
【００１７】
他方、グリップ部１１の先端部には歯ブラシ（清掃部材）１７のアーム１７Ａの後端部１７Ｅが連結可能な凹所１３が形成され、歯ブラシ１７内には中空路１７Ｂが棒体１０の中空路１０Ａと連通して形成され、中空路１７Ｂは歯ブラシ１７の先端及びブラシの上下に開放されている。
【００１８】
また、グリップ部１１内にはＬＥＤ灯（照明灯具）１５及びＭｇを用いた水電池１６が内蔵され、ＬＥＤ灯１５はグリップ部１１の前方を指向し、歯ブラシ１７の先端及び前方を照明するようになっている。グリップ部１１には水電池１６にスポイトなどによって注水するための透孔１６Ａが形成され、注水量によってＬＥＤ灯１５の点灯時間を調整できるようになっている。
【００１９】
棒体１０及びグリップ部１１の後端部には吸引チューブの連結パイプ（連結部）１４が取付けられ、連結パイプ１４はスイベルジョイント構造を有し、吸引チューブは各病室に設置され、真空ポンプなどの負圧源に接続されている。
【００２０】
また、口腔内保清用具は歯ブラシ１７と交換可能なスポンジブラシ（清掃部材）１８を備え、スポンジブラシ１８は歯ブラシ１７と同様な構造に形成されている。すなわち、スポンジブラシ（清掃部材）１８のアーム１８Ａの後端部１８Ｃはグリップ部１１の先端凹所１３に連結可能に形成され、スポンジブラシ１８内には中空路１８Ｂが棒体１０の中空路１０Ａと連通して形成され、中空路１８Ｂはスポンジブラシ１８の先端及びブラシ中央四方に開放されている。
【００２１】
以上のように、本例の口腔内保清用具では口腔内ケアの機能を集約一体化して効率的な保清の作業ができ、しかもＬＥＤ灯１５によって口腔内を明るく照明できるので、歯科衛生士などにとって的確に口腔ケアを行うことができ、又口腔ケアを受ける要介護者などにとっても安全で、安心な口腔ケアを行うことができる結果、高齢者の死亡原因のトップを占める誤嚥性肺炎や不顕性肺炎を予防し、加療及び入院時間を短くすることができる。
【００２２】
図３は第２の実施形態を示し、図１と同一符号は同一又は相当部分を示す。本例は棒体１０及び清掃部材１８を交換可能に構成した例である。図において、グリップ部１１は手で把持し得る大きさの２つ割り中空状に形成され、グリップ部１１には棒体１０が内蔵され、棒体１０には中空路１０Ａが軸線方向に伸びて形成され、両端が開放されている。
【００２３】
棒体１０の先端部にはスポンジブラシ（清掃部材）１８が取付けられ、スポンジブラシ１８は正面視で十字状をなし、スポンジブラシ１８には中空路１８Ｂが棒体１０の中空路１０Ａと連通して形成され、中空路１８Ｂはスポンジブラシ１８の先端及びブラシの上下に開放されている。なお、スポンジブラシ１８は図２の（ｇ）に示されるように、平面視で変形三角形状であってもよい。
【００２４】
また、グリップ部１１内にはＬＥＤ灯１５及び充電式電池１６が内蔵され、ＬＥＤ灯１５はグリップ部１１の前方を指向し、スポンジブラシ１８の先端及び前方を照明するようになっている一方、充電式電池１８はその後端側にＯＮ／ＯＦＦのスイッチ（図示せず）が設けられるとともに、グリップ部１１から取り外して充電できるようになっている。
【００２５】
棒体１０及びグリップ部１１の後端部には吸引チューブの連結パイプ１４が取付けられ、吸引チューブは各病室に設置され、真空ポンプなどの負圧源に接続されている。
【００２６】
また、口腔内保清用具はスポンジブラシ１８付きの棒体１０と交換可能な歯ブラシ（清掃部材）付きの棒体１０を備えている。なお、歯ブラシ付きの棒体１０の構造はスポンジブラシ１８付きの棒体１０と同様であるので、その詳細な説明は省略する。
【符号の説明】
【００２７】
１０    棒体
１０Ａ      中空路
１１    グリップ部
１４    連結パイプ（連結部）
１５    ＬＥＤ灯（照明灯具）
１６    電池
１７    スポンジブラシ
１７Ｂ    中空路
１８    歯ブラシ
１８Ｂ    中空路
【図１】
2018079051.tif 000003
【図２】
2018079051.tif 000004
【図３】
2018079051.tif 000005
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
中空路（１０Ａ）が軸線方向に延びて両端にて開放される棒体（１０）と、
該棒体（１０）の中央部分にて手を把持し得る大きさで上記棒体（１０）と一体構造をなし、中央頂面の凹部（１１Ｂ）中央には吸引量調整孔（１１Ａ）が中空路（１０Ａ）に連通して形成され、手指によって吸引量調整孔（１１Ａ）の開口の大きさを変えることによって吸引圧力を調整できるようになっているグリップ部（１１）と、
上記棒体（１０）の先端に交換可能に設けられており、上記棒体（１０）の中空路（１０Ａ）に連通される中空路（１７Ｂ、１８Ｂ）を有する清掃部材（１７、１８）と、
上記棒体（１０）の後端に設けられており、負圧源から伸びるチューブが連結可能な連結部（１４）と、
上記グリップ部（１１）内に前方を指向して内蔵されており、上記清掃部材（１７、１８）の先端及び前方に光を照射することによって口腔内を照明するＬＥＤ灯（１５）と、
該ＬＥＤ灯（１５）に通電する電源（１６）と、
を備えたことを特徴とする口腔内保清用具。
【請求項２】
上記連結部（１４）がスイベルジョイント構造を有している請求項１記載の口腔内保清用具。